(57)【特許請求の範囲】
【請求項１】
ランプを点灯する点灯装置において、
上記点灯装置の使用時間を計測する使用時間計測部と、
上記使用時間計測部が計測した使用時間と、所定の寿命時間とを比較して、上記使用時間が上記所定の寿命時間よりも長い場合に、寿命であると判定する寿命判定部と、
上記寿命判定部が寿命であると判定した場合に、他の点灯装置に対して、寿命判定を通知する寿命通知部と、
他の点灯装置が寿命判定を通知してきたか否かを判定する寿命通知判定部と、
他の点灯装置が寿命判定を通知してきていないと上記寿命通知判定部が判定し、かつ、上記寿命判定部が寿命であると判定した場合に、上記点灯装置の寿命が到来したことを報知する寿命報知部とを有することを特徴とする点灯装置。
【請求項２】
上記点灯装置は、他の点灯装置が寿命判定を通知してきたと上記寿命通知判定部が判定した場合に、上記点灯装置の寿命が到来したことを報知する第二寿命報知部を有することを特徴とする請求項１に記載の点灯装置。
【請求項３】
上記第二寿命報知部は、寿命であると判定した他の点灯装置からの距離に基づいて、上記点灯装置の寿命が到来したことを報知する報知方式を選択し、選択した報知方式に基づいて、上記点灯装置の寿命が到来したことを報知することを特徴とする請求項２に記載の点灯装置。
【請求項４】
上記点灯装置は、複数の他の点灯装置のうち第一の他の点灯装置と通信する第一の通信回路と、
上記複数の他の点灯装置のうち上記第一の他の点灯装置と異なる第二の他の点灯装置と通信する第二の通信回路と、
上記第一の通信回路を用いて、上記第一の他の点灯装置が通知する寿命判定及び中継数を取得する第一の寿命判定取得部と、
上記第二の通信回路を用いて、上記第二の他の点灯装置が通知する寿命判定及び中継数を取得する第二の寿命判定取得部と、
上記第一の寿命判定取得部が寿命判定を取得した場合に、上記第一の寿命判定取得部が取得した中継数に１を加え、上記第二の通信回路を用いて、上記第二の他の点灯装置に対して、寿命判定及び上記中継数を通知する第一の寿命通知中継部と、
上記第二の寿命判定取得部が寿命判定を取得した場合に、上記第二の寿命判定取得部が取得した中継数に１を加え、上記第一の通信回路を用いて、上記第一の他の点灯装置に対して、寿命判定及び上記中継数を通知する第二の寿命通知中継部とを有し、
上記寿命通知部は、上記寿命判定部が寿命であると判定した場合に、上記第一の通信回路及び上記第二の通信回路を用いて、上記第一の他の点灯装置及び上記第二の他の点灯装置に対して、寿命判定及び中継数０を通知し、
上記第二寿命報知部は、上記第一の寿命判定取得部が寿命判定を取得した場合に、上記第一の寿命判定取得部が取得した中継数に基づいて、寿命到来を報知する方式を選択し、上記第二の寿命判定取得部が寿命判定を取得した場合に、上記第二の寿命判定取得部が取得した中継数に基づいて、上記点灯装置の寿命が到来したことを報知する方式を選択することを特徴とする請求項３に記載の点灯装置。
【請求項５】
上記点灯装置は、他の点灯装置と通信する通信回路と、
上記通信回路を用いて、上記他の点灯装置が通知する寿命判定を取得する寿命判定取得部と、
上記寿命判定取得部が寿命判定を取得した場合に、上記通信回路を用いて、上記他の点灯装置に対して、寿命判定応答を通知する応答通知部と、
上記通信回路を用いて、上記他の点灯装置が通知する寿命判定応答を取得する応答取得部と、
上記応答取得部が寿命判定応答を取得した場合に、上記寿命通知部が寿命判定を通知してから上記応答取得部が寿命判定応答を取得するまでの経過時間に基づいて、上記他の点灯装置との間の距離を算出する距離算出部と、
上記通信回路を用いて、上記他の点灯装置に対して、上記距離算出部が算出した距離を通知する距離通知部と、
上記通信回路を用いて、上記他の点灯装置が通知する距離を取得する距離取得部とを有し、
上記第二寿命報知部は、上記距離取得部が距離を取得した場合に、上記距離取得部が取得した距離に基づいて、上記点灯装置の寿命が到来したことを報知する方式を選択することを特徴とする請求項３に記載の点灯装置。
【請求項６】
請求項１乃至請求項５のいずれかに記載の点灯装置を有することを特徴とする照明器具。
【請求項７】
請求項１乃至請求項５のいずれかに記載の点灯装置を複数有することを特徴とする照明システム。
【発明の詳細な説明】
【技術分野】
【０００１】
この発明は、点灯装置の寿命を利用者に報知する技術に関する。
【背景技術】
【０００２】
点灯装置の使用時間を積算し、積算した使用時間が所定の時間に達した場合に、照明を消灯するなどして、利用者に点灯装置の寿命を知らせる技術がある。
【特許文献１】特開２０００−３４０３７８号公報
【発明の開示】
【発明が解決しようとする課題】
【０００３】
一つの部屋に複数の照明器具を設置する場合、同時期に同種の照明器具を設置する場合があり、その場合、複数の照明器具の使用時間は、ほぼ等しくなる場合がある。照明器具が内蔵する点灯装置の寿命を知らせるために照明を消灯すると、複数の照明器具がほぼ一斉に消灯し、夜間や地下、外光が入らないビルの奥の部屋などが、真っ暗になってしまう場合がある。
この発明は、例えば、上記のような課題を解決するためになされたものであり、複数の照明器具が設置された場所において、照明器具が内蔵する点灯装置の寿命を確実に利用者に報知することを目的とする。
【課題を解決するための手段】
【０００４】
この発明にかかる点灯装置は、上記点灯装置の使用時間を計測する使用時間計測部と、上記使用時間計測部が計測した使用時間と所定の寿命時間とを比較して上記使用時間が上記所定の寿命時間よりも長い場合に、寿命であると判定する寿命判定部と、上記寿命判定部が寿命であると判定した場合に、他の点灯装置に対して寿命判定を通知する寿命通知部と、他の点灯装置が寿命判定を通知してきたか否かを判定する寿命通知判定部と、他の点灯装置が寿命判定を通知してきていないと上記寿命通知判定部が判定しかつ上記寿命判定部が寿命であると判定した場合に、上記点灯装置の寿命が到来したことを報知する寿命報知部とを有することを特徴とする。
【発明の効果】
【０００５】
この発明にかかる点灯装置によれば、複数の点灯装置のうち、最初に寿命判定した点灯装置が利用者に対して寿命到来を報知する。ランプを消灯するなど、利用者に確実に寿命到来を報知できる報知方式を採用した場合であっても、複数の点灯装置が一斉に消灯したり、一斉にブザーを鳴らしたりする不都合を防止することができる。
【発明を実施するための最良の形態】
【０００６】
実施の形態１．
実施の形態１について、図１〜図４を用いて説明する。
【０００７】
図１は、この実施の形態における照明システム８００の全体構成を示すシステム構成図である。
照明システム８００は、複数の照明器具１００を有する。複数の照明器具１００は、互いに直列あるいは並列に多連に接続され、スイッチＳＷを介して交流電源ＡＣに接続されている。複数の照明器具１００は、スイッチＳＷの操作により、一斉にオンオフする。
【０００８】
図２は、この実施の形態における照明器具１００の外観を示す側面図である。
照明器具１００は、器具本体１０１、点灯装置１０２、反射板１０３、ソケット１０４を有する。
器具本体１０１は、点灯装置１０２を内蔵する。ソケット１０４は、ランプＬＡを着脱自在に接続する。点灯装置１０２は、交流電源などから電力を入力して、ソケット１０４に接続したランプＬＡを点灯する。反射板１０３は、ランプＬＡが発した光を反射する。
【０００９】
図３は、この実施の形態における点灯装置１０２の機能ブロックの構成を示すブロック構成図である。
点灯装置１０２は、端子台１１０、電源回路１２１、点灯回路１２２、通信回路１２３、使用時間計測部１３１、寿命判定部１３２、寿命通知部１３３、寿命通知判定部１４１、寿命報知部１７０を有する。
端子台１１０は、電源入力端子１１１、電源出力端子１１２を有する。電源入力端子１１１は、交流電源ＡＣまたは前段の照明器具１００に接続され、交流電源ＡＣから供給される電力を入力する。電源出力端子１１２は、後段の照明器具１００に接続されるかまたは開放され、後段の照明器具１００が接続される場合は、後段の照明器具１００に対して、電源入力端子１１１から入力した電力を供給する。端子台１１０の電流容量は例えば２０Ａであり、照明器具１００一台当たりの入力電流値を０．５Ａとすると、約４０台の照明器具１００を直列に多連接続することができる。
電源回路１２１は、端子台１１０が入力した電力から、点灯回路１２２を駆動する電圧を生成する。
点灯回路１２２は、ランプＬＡに印加する電圧を生成する。
通信回路１２３は、端子台１１０を介して、前段及び後段の照明器具１００と接続している。通信回路１２３は、電力線通信回路であり、電源ラインを介して、前段及び後段の照明器具１００が内蔵する点灯装置１０２と通信をする。
なお、通信回路１２３は、電力線通信回路に限らず、他の有線通信回路であってもよいし、電波・赤外線・光・超音波などを用いた無線通信回路であってもよい。
【００１０】
使用時間計測部１３１（タイマー部）は、点灯装置１０２の使用時間を計測する。使用時間計測部１３１は、電源回路１２１が生成した電圧を入力し、電源回路１２１が電圧を生成している時間を計測する。使用時間計測部１３１は、計測した時間が所定の時間（例えば１時間）に達した場合、図示していない不揮発性メモリから前回までに計測した使用時間を読み出し、１を加算して、不揮発性メモリに書き込む。使用時間計測部１３１は、例えばこのようにして、点灯装置１０２の通電時間を累計して、使用時間とする。
なお、使用時間計測部１３１が計測する使用時間は、点灯装置１０２の寿命を判定するために用いられるものであり、必ずしも通電時間でなくてもよい。例えば、通電していなくても経年劣化する部品が、点灯装置１０２の寿命を決めるボトルネックとなる場合であれば、使用時間計測部１３１は、点灯装置１０２の製造時点からの経過時間を計測し、使用時間とする。例えば、点灯装置１０２は、バックアップ用のバッテリーを内蔵し、使用時間計測部１３１は、点灯装置１０２の製造時点から、バッテリーの電力によって動作することにより、使用時間を計測する。また、所定以上の負荷がかかった状態で劣化する部品が、点灯装置１０２の寿命を決めるボトルネックとなる場合であれば、使用時間計測部１３１は、その部品にかかる負荷を検出し、検出した負荷が所定以上である時間（例えばランプＬＡの点灯時間）を計測して、使用時間とする。
【００１１】
寿命判定部１３２は、使用時間計測部１３１が計測した使用時間に基づいて、点灯装置１０２が寿命であるか否かを判定する。具体的には、あらかじめ、使用時間が所定の時間（以下「寿命時間」と呼ぶ。）を超えた場合に、点灯装置１０２が寿命であると判定すると決めておき、使用時間計測部１３１は、使用時間計測部１３１が計測した使用時間と、あらかじめ定めた寿命時間とを比較して、使用時間のほうが寿命時間よりも長ければ、点灯装置１０２が寿命であると判定する。
なお、寿命時間は、点灯装置１０２が安全に動作することを保証できる時間に設定する。点灯装置１０２が寿命により故障する前に、点灯装置１０２を交換あるいは修理するためである。これにより、点灯装置１０２が故障して危険な状態になるのを防ぐことができるとともに、まだ使える部品を回収して再利用することもできる。
【００１２】
寿命通知部１３３は、点灯装置１０２が寿命であると、寿命判定部１３２が判定した場合に、通信回路１２３を用いて、他の照明器具１００が内蔵する点灯装置１０２に対して、点灯装置１０２が寿命であると寿命判定部１３２が判定したこと（以下「寿命判定」と呼ぶ。）を通知する。
照明システム８００を構成する複数の照明器具１００は、同一の電源ラインに接続されているので、各照明器具１００が内蔵する点灯装置１０２の通電時間はほぼ等しい。しかし、使用時間計測部１３１の計測誤差などの要因により、寿命判定のタイミングは、点灯装置１０２ごとに異なる。このため、複数の点灯装置１０２のうち、最初に寿命判定した点灯装置１０２の寿命通知部１３３が寿命判定を通知した時点では、他の点灯装置１０２の寿命判定部１３２は、寿命判定していない。
【００１３】
寿命通知判定部１４１は、通信回路１２３を用いて、他の照明器具１００が内蔵する点灯装置１０２が寿命判定を通知してきたか否かを判定する。寿命通知判定部１４１は、不揮発性メモリを用いて、判定結果を記憶する。
使用時間計測部１３１は、不揮発性メモリが記憶した判定結果に基づいて、他の点灯装置１０２が寿命判定を通知してきたと寿命通知判定部１４１が判定した場合、使用時間の計測を停止する。これにより、寿命判定の通知を受けた点灯装置１０２の使用時間計測部１３１が計測した使用時間は、寿命時間より短いまま変わらず、寿命判定部１３２は、点灯装置１０２が寿命でないと判定し続けることになる。
なお、他の点灯装置１０２が寿命判定を通知してきたと寿命通知判定部１４１が判定した場合に、使用時間計測部１３１が使用時間の計測を停止するのではなく、寿命判定部１３２が、寿命通知判定部１４１の判定結果に基づいて、使用時間計測部１３１が計測した使用時間が寿命時間より長くなっても、点灯装置１０２が寿命であると判定しない構成としてもよい。
【００１４】
寿命報知部１７０は、寿命判定した場合（以下「自判定の場合」と呼ぶ。）、利用者に対して照明システム８００全体の寿命到来を報知する。具体的には、寿命報知部１７０は、例えば、点灯回路１２２を制御する制御信号を生成し、寿命報知部１７０が生成した制御信号に基づいて、点灯回路１２２が、接続したランプＬＡを消灯もしくは点滅もしくは明滅するなどする。あるいは、寿命報知部１７０は、寿命到来を知らせるＬＥＤを点灯したり、寿命到来を知らせるブザーを鳴らしたり、寿命到来を知らせる案内音声を出力したりしてもよい。
また、寿命報知部１７０（第二寿命報知部）は、他の照明器具１００の点灯装置１０２が寿命判定を通知してきたと寿命通知判定部１４１が判定した場合（以下「他判定の場合」と呼ぶ。）にも、利用者に対して寿命到来を報知する。
【００１５】
自判定の場合の報知方式と、他判定の場合の報知方式とは、同じであってもよいし、異なっていてもよい。
ただし、自判定の場合の報知方式がランプＬＡを消灯することである場合、他判定の場合の報知方式は、異なる報知方式とするのが望ましい。他判定の場合もランプＬＡを消灯すると、照明システム８００を構成するすべての照明器具１００が消灯することになり、そのエリアが真っ暗になるなどの不都合が生じる可能性があるからである。
また、自判定の場合の報知方式がブザーや案内音声など聴覚に訴える報知方式である場合、他判定の場合の報知方式は、聴覚以外の感覚に訴えるもの（例えばランプＬＡの点灯状態の変更など）とするのが望ましい。他判定の場合の報知方式も聴覚に訴えるものとすると、照明システム８００を構成するすべての照明器具１００が鳴り出すことになり、不都合が生じる可能性があるからである。
なお、自判定の場合のみ利用者に寿命到来を報知し、他判定の場合は報知しない構成としてもよいが、その場合、自判定した照明器具１００だけが故障したと利用者が勘違いする可能性があるので、他判定の場合も報知する構成とするほうが望ましい。
【００１６】
図４は、この実施の形態における点灯装置１０２が寿命を判定する寿命判定処理の流れを示すフローチャート図である。
寿命通知判定工程Ｓ５１１において、寿命通知判定部１４１は、他の点灯装置１０２が寿命判定を通知してきたか否かを判定する。他の点灯装置１０２が寿命判定を通知してきたと判定した場合、第二寿命報知工程Ｓ５７２へ進む。他の点灯装置１０２が寿命判定を通知してきていないと判定した場合、使用時間計測工程Ｓ５１２へ進む。
【００１７】
使用時間計測工程Ｓ５１２において、使用時間計測部１３１は、点灯装置１０２の使用時間を計測する。
寿命判定工程Ｓ５１３において、寿命判定部１３２は、使用時間計測工程Ｓ５１２で使用時間計測部１３１が計測した使用時間に基づいて、点灯装置１０２が寿命であるか否かを判定する。点灯装置１０２が寿命であると判定した場合、寿命通知工程Ｓ５１４へ進む。点灯装置１０２がまだ寿命でないと判定した場合、寿命通知判定工程Ｓ５１１に戻る。
【００１８】
寿命通知工程Ｓ５１４において、寿命通知部１３３は、通信回路１２３を用いて、他の点灯装置１０２に対して、寿命判定を通知する。
第一寿命報知工程Ｓ５７１において、寿命報知部１７０は、利用者に対して、照明システム８００全体の寿命到来を報知する。
その後、寿命判定処理を終了する。
【００１９】
第二寿命報知工程Ｓ５７２において、寿命報知部１７０は、利用者に対して、照明システム８００全体の寿命到来を報知する。
その後、寿命判定処理を終了する。
【００２０】
この実施の形態における点灯装置１０２は、上記点灯装置１０２の使用時間を計測する使用時間計測部１３１と、上記使用時間計測部１３１が計測した使用時間と所定の寿命時間とを比較して上記使用時間が上記所定の寿命時間よりも長い場合に寿命であると判定する寿命判定部１３２と、上記寿命判定部１３２が寿命であると判定した場合に、他の点灯装置１０２に対して寿命判定を通知する寿命通知部１３３と、他の点灯装置１０２が寿命判定を通知してきたか否かを判定する寿命通知判定部１４１と、他の点灯装置１０２が寿命判定を通知してきていないと上記寿命通知判定部１４１が判定し、かつ、上記寿命判定部１３２が寿命であると判定した場合に、上記点灯装置１０２の寿命が到来したことを報知する寿命報知部１７０とを有するので、複数の点灯装置１０２のうち、最初に寿命判定した点灯装置１０２が利用者に対して寿命到来を報知する。複数の点灯装置１０２が協調して利用者に寿命到来を報知するので、ランプＬＡを消灯するなど、利用者に確実に寿命到来を報知できる報知方式を採用した場合であっても、複数の点灯装置１０２がランプＬＡを一斉に消灯したり、一斉にブザーを鳴らしたりする不都合を防止することができる。
【００２１】
この実施の形態における点灯装置１０２は、他の点灯装置１０２が寿命判定を通知してきたと上記寿命通知判定部１４１が判定した場合に、上記点灯装置１０２の寿命が到来したことを報知する第二寿命報知部（寿命報知部１７０）を有するので、最初に寿命判定した点灯装置１０２だけでなく、他の点灯装置１０２も利用者に対して寿命到来を報知する。複数の点灯装置１０２が協調して利用者に寿命到来を報知するので、最初に寿命判定した点灯装置１０２だけが利用者に対して寿命到来を報知する場合と比較して、個々の点灯装置１０２の故障ではなく、照明システム８００全体の寿命到来であることを、利用者に確実に了知させることができる。
【００２２】
この実施の形態における照明器具１００は、上記点灯装置１０２を有するので、ランプＬＡを消灯するなど、利用者に確実に寿命到来を報知できる報知方式を採用した場合であっても、複数の照明器具１００が一斉に消灯したり、一斉にブザーを鳴らしたりする不都合を防止することができる。
【００２３】
この実施の形態における照明システム８００は、上記点灯装置１０２を複数有するので、複数の点灯装置１０２が協調して利用者に寿命到来を報知することにより、照明システム８００全体の寿命到来を、利用者に報知することができる。
【００２４】
以上のように、複数の照明器具１００が連結した照明システム８００において、一つの照明器具１００が寿命判定した場合に、複数の照明器具１００が協調して消灯もしくは調光点灯するなどし、利用者に確実に寿命の合図を送ることができる。これにより、利用者が寿命を過ぎて照明器具を使用することを防ぎ、照明器具の交換を促すことができる。
【００２５】
なお、以上説明した照明器具１００の各機能ブロックは、アナログ回路あるいはデジタル回路により構成されるものであってもよいし、マイコンが、あらかじめＲＯＭなどの記憶装置を用いて記憶したプログラムを実行することにより実現するものであってもよい。
【００２６】
実施の形態２．
実施の形態２について、図５〜図７を用いて説明する。
なお、実施の形態１で説明した照明システム８００と共通する部分については、同一の符号を付し、説明を省略する。
【００２７】
図５は、この実施の形態における点灯装置１０２の機能ブロックの構成を示すブロック構成図である。
点灯装置１０２は、端子台１１０、電源回路１２１、点灯回路１２２、通信回路１２３、使用時間計測部１３１、寿命判定部１３２、寿命通知部１３３、寿命通知判定部１４１、応答通知部１４２、距離取得部１４３、応答取得部１５１、距離算出部１５２、距離通知部１５３、寿命報知部１７０を有する。
【００２８】
寿命通知部１３３は、寿命判定の通知にあたり、点灯装置１０２自身を識別する識別コード（例えば点灯装置１０２の製造番号など）を含む寿命判定通知メッセージを生成する。識別コードは、例えば、あらかじめ不揮発性メモリなど（器具識別情報部）が記憶しておき、寿命通知部１３３は、不揮発性メモリなどから識別コードを読み出して、寿命判定通知メッセージを生成する。寿命通知部１３３は、通信回路１２３を用いて、生成した寿命判定通知メッセージを、他の点灯装置１０２に対してブロードキャスト送信する。
【００２９】
寿命通知判定部１４１（寿命判定取得部）は、通信回路１２３を用いて、他の点灯装置１０２が送信した寿命判定通知メッセージを受信する。寿命通知判定部１４１は、寿命判定通知メッセージを受信した場合に、他の点灯装置１０２が寿命判定を通知してきたと判定する。
応答通知部１４２は、点灯装置１０２自身を識別する識別コードを含む応答メッセージを生成し、通信回路１２３を用いて、寿命通知判定部１４１が受信した寿命判定通知メッセージに対する応答として、生成した応答メッセージを送信する。
【００３０】
寿命判定した点灯装置１０２の応答取得部１５１は、通信回路１２３を用いて、他の点灯装置１０２が送信した応答メッセージを受信する。
距離算出部１５２（器具位置特定部）は、寿命通知部１３３が寿命判定通知メッセージを送信した時刻から、応答取得部１５１が応答メッセージを受信した時刻までの経過時間を測定する。距離算出部１５２は、測定した経過時間に基づいて、応答メッセージを送信した他の点灯装置１０２までの距離を算出する。
【００３１】
寿命通知判定部１４１が寿命判定通知メッセージを受信してから応答通知部１４２が応答メッセージを送信するまでの時間が同じだと仮定すると、距離算出部１５２が測定した経過時間は、寿命判定通知メッセージ及び応答メッセージの伝播遅延時間に依存する。電気信号による通信の場合、メッセージの伝播速度は光の速度であるから、伝播遅延時間は、照明器具１００間を接続する電源ラインの長さに依存する。距離算出部１５２は、この依存関係に基づいて、測定した経過時間から、他の点灯装置１０２までの距離を算出する。
なお、距離算出部１５２が算出する他の点灯装置１０２までの距離は、正確な距離である必要はない。例えば、距離算出部１５２は、応答取得部１５１が応答メッセージを受信した順序にしたがって、他の点灯装置１０２までの距離が近い順に番号を振り、その番号を他の点灯装置１０２までの距離とみなしてもよい。
【００３２】
距離通知部１５３は、応答取得部１５１が受信した応答メッセージを送信してきた他の点灯装置１０２に対して、距離算出部１５２が算出したその点灯装置１０２までの距離を通知する。距離通知部１５３は、距離算出部１５２が算出したその点灯装置１０２までの距離を表わすデータを含む距離通知メッセージを生成し、通信回路１２３を用いて、生成した距離通知メッセージを送信する。
【００３３】
応答通知部１４２が応答メッセージを送信した点灯装置１０２の距離取得部１４３は、通信回路１２３を用いて、寿命判定した点灯装置１０２が送信した距離通知メッセージを受信する。距離取得部１４３は、受信した距離通知メッセージに基づいて、寿命判定した点灯装置１０２までの距離を取得する。
【００３４】
寿命報知部１７０（第二寿命報知部）は、他判定の場合、距離取得部１４３が取得した距離に基づいて、あらかじめ定めた複数の報知方式のなかから、利用者に対して寿命到来を報知する報知方式を選択する。寿命報知部１７０は、選択した報知方式にしたがって、利用者に対して寿命到来を報知する。
【００３５】
図６は、この実施の形態における点灯装置１０２が寿命を判定する寿命判定処理の流れを示すフローチャート図である。
寿命通知判定工程Ｓ５１１において、他の点灯装置１０２が寿命判定を通知してきたと寿命通知判定部１４１が判定した場合、応答通知工程Ｓ５２１へ進む。
【００３６】
応答通知工程Ｓ５２１において、応答通知部１４２は、寿命判定を通知してきた他の点灯装置１０２に対して、応答メッセージを送信する。
距離取得工程Ｓ５２５において、距離取得部１４３は、寿命判定を通知してきた他の点灯装置１０２が送信した距離通知メッセージを受信し、その点灯装置１０２までの距離を取得する。
第二寿命報知工程Ｓ５７２において、寿命報知部１７０は、距離取得工程Ｓ５２５で距離取得部１４３が取得した距離に基づいて、報知方式を選択し、選択した報知方式により利用者に寿命到来を報知する。
その後、寿命判定処理を終了する。
【００３７】
寿命通知工程Ｓ５１４のあと、応答取得工程Ｓ５２２へ進む。
応答取得工程Ｓ５２２において、応答取得部１５１は、通信回路１２３を用いて、他の点灯装置１０２が送信してきた応答メッセージを受信する。
距離算出工程Ｓ５２３において、距離算出部１５２は、応答取得工程Ｓ５２２で応答メッセージを受信した時刻に基づいて、応答メッセージを送信してきた他の点灯装置１０２までの距離を算出する。
距離通知工程Ｓ５２４において、距離通知部１５３は、通信回路１２３を用いて、応答メッセージを送信してきた他の点灯装置１０２に対して、距離算出工程Ｓ５２３で距離算出部１５２が算出したその点灯装置１０２までの距離を通知する。
その後、第一寿命報知工程Ｓ７１へ進む。
【００３８】
図７は、この実施の形態における照明システム８００が、利用者に対して寿命到来を報知する報知方式の例を示す図である。
この例において、距離算出部１５２は、応答メッセージを受信した順序にしたがって振った番号を、その点灯装置１０２までの距離とみなす。
点灯装置１０２は、自判定の場合、ランプＬＡを消灯する。他判定の場合は、距離取得部１４３が取得した距離が奇数ならランプＬＡを点灯もしくは調光点灯し、偶数ならランプＬＡを消灯する。
【００３９】
このように、他判定の場合、寿命判定した点灯装置１０２との距離に基づいて報知方式を変えることにより、複数の点灯装置１０２がランプＬＡを一つおきに点灯するなどし、個々の点灯装置１０２が故障した場合とは明らかに違うパターンを作ることができるので、複数の点灯装置１０２が協調して照明システム８００の寿命到来を報知していることを、利用者に確実に了知させることができる。
【００４０】
この実施の形態における第二寿命報知部（寿命報知部１７０）は、寿命であると判定した他の点灯装置１０２からの距離に基づいて、上記点灯装置１０２の寿命が到来したことを報知する報知方式を選択し、選択した報知方式に基づいて、上記点灯装置１０２の寿命が到来したことを報知するので、他の点灯装置１０２と協調して照明システム８００の寿命到来を報知していることを、利用者に確実に了知させることができる。
【００４１】
この実施の形態における点灯装置１０２は、他の点灯装置１０２と通信する通信回路１２３と、上記通信回路１２３を用いて上記他の点灯装置１０２が通知する寿命判定（寿命判定通知メッセージ）を取得する寿命判定取得部（寿命通知判定部１４１）と、上記寿命判定取得部（寿命通知判定部１４１）が寿命判定を取得した場合に、上記通信回路１２３を用いて、上記他の点灯装置１０２に対して、寿命判定応答（応答メッセージ）を通知する応答通知部１４２と、上記通信回路１２３を用いて、上記他の点灯装置１０２が通知する寿命判定応答を取得する応答取得部１５１と、上記応答取得部１５１が寿命判定応答を取得した場合に、上記寿命通知部１３３が寿命判定を通知してから上記応答取得部１５１が寿命判定応答を取得するまでの経過時間に基づいて上記他の点灯装置１０２との間の距離を算出する距離算出部１５２と、上記通信回路１２３を用いて、上記他の点灯装置１０２に対して上記距離算出部１５２が算出した距離を通知する距離通知部１５３と、上記通信回路１２３を用いて上記他の点灯装置１０２が通知する距離を取得する距離取得部１４３とを有し、上記第二寿命報知部（寿命報知部１７０）は、上記距離取得部１４３が距離を取得した場合に、上記距離取得部１４３が取得した距離に基づいて、寿命到来を報知する方式を選択するので、照明システム８００の全体構成をあらかじめ知らなくても、他の点灯装置１０２との間の距離を算出することができ、他の点灯装置１０２と協調して照明システム８００の寿命到来を報知していることを、利用者に確実に了知させることができる。
【００４２】
実施の形態３．
実施の形態３について、図８〜図１０を用いて説明する。
なお、実施の形態１で説明した照明システム８００と共通する部分については、同一の符号を付し、説明を省略する。
【００４３】
図８は、この実施の形態における点灯装置１０２の機能ブロックの構成を示すブロック構成図である。
点灯装置１０２は、端子台１１０、電源回路１２１、点灯回路１２２、二つの通信回路１２４，１２５、使用時間計測部１３１、寿命判定部１３２、寿命通知部１３３、寿命通知判定部１４１、二つの寿命判定取得部１６１，１６２、二つの寿命通知中継部１６３，１６４、寿命報知部１７０を有する。
実施の形態１では、電源入力端子１１１と電源出力端子１１２とが端子台１１０のなかで接続されていたが、この実施の形態では、電源入力端子１１１と電源出力端子１１２とが端子台１１０のなかで接続していない。電源入力端子１１１から入力した電力は、電源回路１２１が入力し、電源回路１２１が改めて出力した電力が、電源出力端子１１２を介して後段の照明器具１００に供給される。
通信回路１２４，１２５は、実施の形態１で説明した通信回路１２３と同様、電力線通信回路である。通信回路１２４は、電源入力端子１１１に接続し、通信回路１２５は、電源出力端子１１２に接続していて、両者の信号は分離している。このため、通信回路１２４（第一の通信回路）は、前段の照明器具１００が内蔵する点灯装置１０２（第一の他の点灯装置）のみと通信し、通信回路１２５（第二の通信回路）は、後段の照明器具１００が内蔵する点灯装置１０２（第二の他の点灯装置）のみと通信する。
【００４４】
寿命通知部１３３は、点灯装置１０２が寿命であると寿命判定部１３２が判定した場合、中継数を表わすデータを含む寿命判定通知メッセージを生成する。寿命通知部１３３が生成する寿命判定通知メッセージは、中継数０を表わすデータを含む。寿命通知部１３３は、通信回路１２４を用いて、前段の点灯装置１０２に対して、生成した寿命判定通知メッセージを送信し、通信回路１２５を用いて、後段の点灯装置１０２に対して、生成した寿命判定通知メッセージを送信する。
【００４５】
寿命判定取得部１６１は、通信回路１２４を用いて、前段の点灯装置１０２が送信した寿命判定通知メッセージを受信する。
寿命通知中継部１６３は、寿命判定取得部１６１が受信した寿命判定通知メッセージに含まれるデータが表わす中継数に１を加えて、寿命判定通知メッセージを更新し、通信回路１２５を用いて、後段の点灯装置１０２に対して、更新した寿命判定通知メッセージを送信する。
【００４６】
寿命判定取得部１６２は、通信回路１２５を用いて、後段の点灯装置１０２が送信した寿命判定通知メッセージを受信する。
寿命通知中継部１６４は、寿命判定取得部１６２が受信した寿命判定通知メッセージに含まれるデータが表わす中継数に１を加えて、寿命判定通知メッセージを更新し、通信回路１２４を用いて、前段の点灯装置１０２に対して、更新した寿命判定通知メッセージを送信する。
【００４７】
寿命通知判定部１４１は、寿命判定取得部１６１が寿命判定通知メッセージを受信した場合と、寿命判定取得部１６２が寿命判定通知メッセージを受信した場合とのどちらの場合も、他の点灯装置１０２が寿命判定を通知してきたと判定する。
寿命報知部１７０（第二寿命報知部）は、他の点灯装置１０２が寿命判定を通知してきたと寿命通知判定部１４１が判定した場合、寿命判定取得部１６１または寿命判定取得部１６２が受信した寿命判定通知メッセージに含まれるデータが表わす中継数を、寿命判定した点灯装置１０２までの距離とみなし、中継数に基づいて、あらかじめ定められた複数の報知方式のなかから、利用者に対して寿命到来を報知する報知方式を選択する。
【００４８】
図９は、この実施の形態における点灯装置１０２が寿命を判定する寿命判定処理の流れを示すフローチャート図である。
寿命通知判定工程Ｓ５１１において、他の点灯装置１０２が寿命判定を通知してきたと寿命通知判定部１４１が判定した場合、寿命通知中継工程Ｓ５３１へ進む。
【００４９】
寿命通知中継工程Ｓ５３１において、寿命通知中継部１６３または寿命通知中継部１６４は、寿命判定取得部１６１または寿命判定取得部１６２が受信した寿命判定通知メッセージに含まれるデータが表わす中継数に１を加える。寿命通知中継部１６３または寿命通知中継部１６４は、中継数を更新した寿命判定通知メッセージを生成し、通信回路１２５または通信回路１２４を用いて、後段または前段の点灯装置１０２に対して、生成した寿命判定通知メッセージを送信する。
第二寿命報知工程Ｓ５７２において、寿命報知部１７０は、寿命通知中継部１６３または寿命通知中継部１６４が受信した寿命判定通知メッセージに含まれるデータが表わす中継数を取得し、取得した中継数に基づいて、利用者に対して寿命到来を報知する報知方式を選択し、選択した報知方式に基づいて、利用者に対して寿命到来を報知する。
その後、寿命判定処理を終了する。
【００５０】
図１０は、この実施の形態における照明システム８００が、利用者に対して寿命到来を報知する報知方式の例を示す図である。
この例において、点灯装置１０２は、自判定の場合、ランプＬＡを消灯する。他判定の場合は、中継数が偶数ならランプＬＡを点灯もしくは調光点灯し、中継数が奇数ならランプＬＡを消灯する。
【００５１】
このように、他判定の場合、寿命判定通知メッセージの中継数に基づいて報知方式を変えることにより、複数の点灯装置１０２がランプＬＡを一つおきに点灯するなどし、個々の点灯装置１０２が故障した場合とは明らかに違うパターンを作ることができるので、複数の点灯装置１０２が協調して照明システム８００の寿命到来を報知していることを、利用者に確実に了知させることができる。
【００５２】
この実施の形態における点灯装置１０２は、複数の他の点灯装置１０２のうち第一の他の点灯装置（前段の点灯装置１０２）と通信する第一の通信回路１２４と、上記複数の他の点灯装置１０２のうち上記第一の他の点灯装置と異なる第二の他の点灯装置（後段の点灯装置１０２）と通信する第二の通信回路１２５と、上記第一の通信回路１２４を用いて上記第一の他の点灯装置が通知する寿命判定及び中継数を取得する第一の寿命判定取得部１６１と、上記第二の通信回路１２５を用いて上記第二の他の点灯装置が通知する寿命判定及び中継数を取得する第二の寿命判定取得部１６２と、上記第一の寿命判定取得部１６１が寿命判定を取得した場合に、上記第一の寿命判定取得部１６１が取得した中継数に１を加え、上記第二の通信回路１２５を用いて上記第二の他の点灯装置に対して寿命判定及び上記中継数を通知する第一の寿命通知中継部１６３と、上記第二の寿命判定取得部１６２が寿命判定を取得した場合に、上記第二の寿命判定取得部１６２が取得した中継数に１を加え、上記第一の通信回路１２４を用いて上記第一の他の点灯装置に対して寿命判定及び上記中継数を通知する第二の寿命通知中継部１６４とを有し、上記寿命通知部１３３は、上記寿命判定部１３２が寿命であると判定した場合に、上記第一の通信回路１２４及び上記第二の通信回路１２５を用いて上記第一の他の点灯装置及び上記第二の他の点灯装置に対して寿命判定及び中継数０を通知し、上記第二寿命報知部（寿命報知部１７０）は、上記第一の寿命判定取得部１６１が寿命判定を取得した場合に、上記第一の寿命判定取得部１６１が取得した中継数に基づいて寿命到来を報知する方式を選択し、上記第二の寿命判定取得部１６２が寿命判定を取得した場合に、上記第二の寿命判定取得部１６２が取得した中継数に基づいて、寿命到来を報知する方式を選択するので、照明システム８００の全体構成をあらかじめ知らなくても、他の点灯装置１０２との間の距離を算出することができ、他の点灯装置１０２と協調して照明システム８００の寿命到来を報知していることを、利用者に確実に了知させることができる。
【図面の簡単な説明】
【００５３】
【図１】実施の形態１における照明システム８００の全体構成を示すシステム構成図。
【図２】実施の形態１における照明器具１００の外観を示す側面図。
【図３】実施の形態１における点灯装置１０２の機能ブロックの構成を示すブロック構成図。
【図４】実施の形態１における点灯装置１０２が寿命を判定する寿命判定処理の流れを示すフローチャート図。
【図５】実施の形態２における点灯装置１０２の機能ブロックの構成を示すブロック構成図。
【図６】実施の形態２における点灯装置１０２が寿命を判定する寿命判定処理の流れを示すフローチャート図。
【図７】実施の形態２における照明システム８００が、利用者に対して寿命到来を報知する報知方式の例を示す図。
【図８】実施の形態３における点灯装置１０２の機能ブロックの構成を示すブロック構成図。
【図９】実施の形態３における点灯装置１０２が寿命を判定する寿命判定処理の流れを示すフローチャート図。
【図１０】実施の形態３における照明システム８００が、利用者に対して寿命到来を報知する報知方式の例を示す図。
【符号の説明】
【００５４】
１００  照明器具、１０１  器具本体、１０２  点灯装置、１０３  反射板、１０４  ソケット、１１０  端子台、１１１  電源入力端子、１１２  電源出力端子、１２１  電源回路、１２２  点灯回路、１２３〜１２５  通信回路、１３１  使用時間計測部、１３２  寿命判定部、１３３  寿命通知部、１４１  寿命通知判定部、１４２  応答通知部、１４３  距離取得部、１５１  応答取得部、１５２  距離算出部、１５３  距離通知部、１６１，１６２  寿命判定取得部、１６３，１６４  寿命通知中継部、１７０  寿命報知部、８００  照明システム、ＡＣ  交流電源、ＬＡ  ランプ、ＳＷ  スイッチ。
【図１】
0005197158.tif 000002
【図２】
0005197158.tif 000003
【図３】
0005197158.tif 000004
【図４】
0005197158.tif 000005
【図５】
0005197158.tif 000006
【図６】
0005197158.tif 000007
【図７】
0005197158.tif 000008
【図８】
0005197158.tif 000009
【図９】
0005197158.tif 000010
【図１０】
0005197158.tif 000011